(57)【要約】【課題】本発明は、いわゆるバヨネット機構により着脱されるバヨネットリングを備えた機器およびそのような機器の典型的な１つであるカメラに関し、薄くてその側面をつかんで操作できないようなバヨネットリングであっても容易に着脱可能とする。【解決手段】カメラボディ側に、円弧状の溝１０１と、その溝の上に張り出した固定爪１０２とを備え、バヨネットリング３０に、溝１０１に嵌入する突条３２と、その突条３２を溝１０１に嵌入させて回動したときに固定爪１０２の下に入り込んでその固定爪１０２に係止される係止爪３３とを備え、バヨネットリング３０が取外し位置まで回動された状態においてそのバヨネットリングのマーク３１の部分を押すことにより、バヨネットリング３０の、マーク３１から最遠の部分を持ち上げる。【選択図】        図１
2006091660.tif 000002
【特許請求の範囲】
【請求項１】
円弧状に延びる溝と、該溝の上に張り出した固定爪とを有する本体部、および、裏面側に、円弧状に延び前記溝に嵌入する突条と、該突条を該溝に嵌入させて回動したときに前記固定爪の下に入り込んで該固定爪に係止される係止爪とを有する板状のバヨネットリングを備えた機器において、
前記バヨネットリングが、前面の所定位置に付されたマークを有するとともに該マークが付された部分の裏面が前記溝の底から浮いた状態となるように前記突条が少なくとも該部分において切り欠かれた形状を有し、該バヨネットリングが取外し位置まで回動された状態において該バヨネットリングの該マークの部分を押すことにより、該バヨネットリングの、該マークから最遠の部分が持ち上がるものであることを特徴とする機器。
【請求項２】
前記本体部が、前記バヨネットリングを、前記係止爪を前記固定爪の下に入り込んだ状態で回動不能にロックするとともに、前記溝に隣接した位置にロック解除ボタンを備えて該ロック解除ボタンの操作によりロックを外して該バヨネットリングを取外し方向に回動自在とするロック機構を有し、
前記マークが、前記バヨネットリングを取外し位置まで回動したときの前記ロック解除ボタンに近接した位置に付されていることを特徴とする請求項１記載の機器。
【請求項３】
撮影レンズと撮像素子を備え該撮影レンズを経由して入射してきた被写体光を該撮像素子で捉えて画像信号を生成するカメラにおいて、
前記撮影レンズを取り巻く位置に形成された、円弧状の溝と、該溝の上に張り出した固定爪とを有するカメラボディ、および、裏面側に、円弧状に延び前記溝に嵌入する突条と、該突条を該溝に嵌入させて回動したときに前記固定爪の下に入り込んで該固定爪に係止される係止爪とを有する板状のバヨネットリングを備え、
前記バヨネットリングが、前面の所定位置に付されたマークを有するとともに該マークが付された部分の裏面が前記溝の底から浮いた状態となるように前記突条が少なくとも該部分において切り欠かれた形状を有し、該バヨネットリングが取外し位置まで回動された状態において該バヨネットリングの該マークの部分を押すことにより、該バヨネットリングの、該マークから最遠の部分が持ち上がるものであることを特徴とするカメラ。
【発明の詳細な説明】
【技術分野】
【０００１】
本発明は、いわゆるバヨネット機構により着脱されるバヨネットリングを備えた機器およびそのような機器の典型的な１つであるカメラに関する。
【背景技術】
【０００２】
従来より、カメラボディにリング状の部材を着脱自在に装着する機構としてバヨネット機構が広く採用されている。ここでいうバヨネット機構とは、カメラボディ側に円弧状の溝とその溝の上に張り出した固定爪を備えるとともに、リング状の部材に、その溝に嵌入する円弧状の突条とその突条を溝に嵌入させて回わしたときに固定爪の下に入り込んでその固定爪に係止される係止爪を有する構造をいう。
【０００３】
例えば特許文献１には、弾性部分を設けた薄型のバヨネットリングが開示されている。
【特許文献１】特開平１−１５９６２４号公報
【発明の開示】
【発明が解決しようとする課題】
【０００４】
上述の特許文献１に記載されているバヨネットリングの場合、そのバヨネットリングの着脱の際に弾性部分を撓ませるだけの力が必要であり、バヨネットリングの側面をつかんで操作することになる。このように、バヨネットリングは側面をつかんで操作するのが一般的である。
【０００５】
近年ではカメラの益々の薄型化が要求されそれに伴ってバヨネットリングも薄型化が要求されてきている。これに対し、上述の特許文献１に記載されたバヨネットリングの場合、側面をつかんで操作する必要上、更なる薄型化は困難である。側面をつかんで操作するほどの厚みのないバヨネットリングを考えた場合、そのバヨネットリング前面に指を当てて操作することになる。そのようなバヨネットリングをカメラボディに装着するときは、バヨネットリングの上（前面）に指を当てて回わせばよく、取り外すときも、取外し方向に回わすこと自体はバヨネットリングの上（前面）に指を当てて回わせばよいが、取外し位置まで回わした後、そのバヨネットリングを如何にしてカメラボディから取り外すかが問題となる。
【０００６】
例えば、カメラボディ前面を下に向けてカメラボディを叩くことによりバヨネットリングを下に落とすことが考えられる。しかしカメラは精密機械であり、叩くという操作自体も好ましくなく、落下したバヨネットリングが破損するおそれや、カメラボディ自体を下に落として壊してしまうおそれもある。
【０００７】
あるいは、取外し位置まで回わしたときに自動的に持ち上がるように、そのバヨネットリングを持ち上げるための力のあるバネで付勢しておくことも考えられる。しかしその場合、バヨネットリングを装着するときにはそのバヨネットリングを、そのバネ力に打ち勝つ力で押えてそのままバヨネットリングを回わす必要があり、その場合、カメラボディ上に置いたバヨネットリングが浮き上がってしまいバヨネットリングを押しながら回すのにテクニックを要し、またバヨネットリングを回わすのにも力を要するためバヨネットリング前面に指を当てて操作すると指が滑ってしまうなど、着脱の操作性に劣ることになる。
【０００８】
本発明は、上記事情に鑑み、薄くてその側面をつかんで操作できないようなバヨネットリングであっても容易に着脱させることができる構造を備えた機器およびカメラを提供することを目的とする。
【課題を解決するための手段】
【０００９】
上記目的を達成する本発明の機器は、円弧状に延びる溝と、その溝の上に張り出した固定爪とを有する本体部、および、裏面側に、円弧状に延び上記溝に嵌入する突条と、その突条を上記溝に嵌入させて回動したときに上記固定爪の下に入り込んでその固定爪に係止される係止爪とを有する板状のバヨネットリングを備えた機器において、上記バヨネットリングが、前面の所定位置に付されたマークを有するとともにそのマークが付された部分の裏面が上記溝の底から浮いた状態となるように上記突条が少なくともその部分において切り欠かれた形状を有し、バヨネットリングが取外し位置まで回動された状態においてそのバヨネットリングのマークの部分を押すことにより、バヨネットリングの、マークから最遠の部分が持ち上がるものであることを特徴とする。
【００１０】
本発明の機器は、溝に嵌入する突条が、少なくともマークの裏側の部分において切り欠かれた形状を有し、そのマークの部分を押すことによってそのマークとは反対側の部分が持ち上がるように構成したため、バヨネットリングの、機器本体部からの取外しが前面からの操作で容易に行なわれる。
【００１１】
ここで、上記本発明の機器について、上記本体部が、バヨネットリングを、係止爪を固定爪の下に入り込んだ状態で回動不能にロックするとともに、上記溝に隣接した位置にロック解除ボタンを備えてそのロック解除ボタンの操作によりロックを外してバヨネットリングを取外し方向に回動自在とするロック機構を有し、上記マークが、バヨネットリングを取外し位置まで回動したときのロック解除ボタンに近接した位置に付されていることが好ましい。
【００１２】
こうすることで、バヨネットリング着脱のための位置合わせ用のマークとバヨネットリングを押すためのマークを兼用することができ、マークを別々に設けた場合と比べ混乱を招くおそれをなくすことができる。
【００１３】
また、上記目的を達成する本発明のカメラは、撮影レンズと撮像素子を備え撮影レンズを経由して入射してきた被写体光を撮像素子で捉えて画像信号を生成するカメラにおいて、撮影レンズを取り巻く位置に形成された、円弧状の溝と、その溝の上に張り出した固定爪とを有するカメラボディ、および、裏面側に、円弧状に延び上記溝に嵌入する突条と、その突条を上記溝に嵌入させて回動したときに固定爪の下に入り込んでその固定爪に係止される係止爪とを有する板状のバヨネットリングを備え、そのバヨネットリングが、前面の所定位置に付されたマークを有するとともにそのマークが付された部分の裏面が上記溝の底から浮いた状態となるように上記突条が少なくともその部分において切り欠かれた形状を有し、バヨネットリングが取外し位置まで回動された状態においてそのバヨネットリングのマークの部分を押すことにより、バヨネットリングの、マークから最遠の部分が持ち上がるものであることを特徴とする。
【発明の効果】
【００１４】
以上のように、本発明によれば、前面からしか操作できないバヨネットリングであっても、そのバヨネットリングを容易に着脱することができる。
【発明を実施するための最良の形態】
【００１５】
以下、本発明の実施形態について説明する。
【００１６】
図１は、本発明の機器およびカメラの一実施形態としてのデジタルカメラを示す外観斜視図である。
【００１７】
このカメラ１０の前面には、撮影レンズ２０が覗いており、その撮影レンズ２０を取り巻いた位置にバヨネットリング３０が装着されている。このバヨネットリング３０は化粧用であり、このバヨネットリング３０を取り外してその部分に例えば接写用のコンバータレンズ等の補助レンズを装着することができる。また、バヨネットリング３０に隣接した位置に、そのバヨネットリングのロックを解除するロック解除ボタン４０が配備されている。さらに、このデジタルカメラ１０の前面には、光学ファインダの対物窓５０および補助光発光窓６０が配置されている。さらには、手での把持の便のためのグリップ部７０が設けられている。
【００１８】
また、このデジタルカメラ１０の上面には、各種モードを選択するためのモード選択ダイヤル８０や撮影指示用のシャッタボタン９０が配備されている。
【００１９】
さらに、図示は省略するが、このデジタルカメラ１０の背面には、画像表示用の画像モニタ等が配備されている。
【００２０】
図２は、図１に示すデジタルカメラの、バヨネットリングが取り外された状態（Ａ）と、その取り外されたバヨネットリング（Ｂ）を示す図、図３は、バヨネットリングが取り外された状態の正面図である。
【００２１】
カメラボディ側のバヨネットリング装着部には、円弧状の溝１０１とその溝１０１の上に張り出した固定爪１０２が設けられている。
【００２２】
図４は、バヨネットリングの平面図（Ａ）、側面図（Ｂ）、および背面図（Ｃ）、図５は、バヨネットリングの裏面側を示す斜視図である。
【００２３】
バヨネットリング３０の前面には、マーク３１が付されている。このマーク３１は、ここに示す例では３つの突起で形成されており、そこに指を当ててバヨネットリング３０を回す際の滑り防止を兼ねている。
【００２４】
また、このバヨネットリング３０の裏面には、円弧状の突条３２が形成されており、その突条３２には、カメラボディ側の溝１０１の底にほぼ接するレベルの、近づいた高さの高い部分３２ａとカメラボディの溝１０１の底から浮いた状態となるように切り欠かれた形状の高さの低い部分３２ｂを有する。図５に示す矢印は、前面にマーク３１（図４参照）が付された部分を指し示しており、そのマーク３１は、裏面の突条３１の高さが低い部分３２ｂに付されている。また、その突条３２の高さの高い部分３２ａには、そのバヨネットリング１０の内側に張り出した係止爪３３が設けられている。
【００２５】
この係止爪３３は、このバヨネットリング３０の突条３２をカメラボディの溝１０１に嵌入させて装着方向に回わしたときに固定爪１０２の下に入り込んでその固定爪１０２に係止される。
【００２６】
図６は、このデジタルカメラの、バヨネットリングが取外し位置に回動された状態を示した正面図、図７は、このデジタルカメラの、バヨネットリングが装着完了位置に回動された状態を示す正面図である。
【００２７】
バヨネットリング３０をカメラボディに装着するには、図６に示すように、マーク３１をロック解除ボタン４０の位置に合わせてカメラボディの溝１０１（図３参照）の上にバヨネットリング３０を置いて矢印Ａで示す装着方向に回わす。このバヨネットリング３０を、そのバヨネットリング３０のマーク３１が、図７に示す、カメラボディ上のマーク１０３と一致する位置まで回わすと、バヨネットリング３０の裏面側に設けられたストッパ３４（図５参照）が、カメラボディ側の１つの固定爪１０２の端部１０２ａに突き当たってそれ以上回転できない状態となり、またそのタイミングでロックがかかり、そのままではバヨネットリングを矢印Ｂで示す取外し方向には回わらなくなる。
【００２８】
このロック機構は、溝１０１の底から突出する方向に付勢されて溝１０１内に突出したロック部材（図示せず）を備え、そのロック部材がバヨネットリング３０の突条３１の高さの高い部分３１ａに押されて引っ込み、バヨネットリング３０を図７に示す位置まで回したときにその突条３２の高さの高い部分３２ａがそのロック部材から外れロック部材が溝内に突出して、そのバヨネットリング３０の取外し方向への回動を阻止する構成のものである。ロック解除ボタン４０を押すとそのロック部材が引っ込み、バヨネットリング３０の取外し方向（矢印Ｂ方向）への回動が可能となる。バヨネットリングのロック機構は従来から用いられている技術であり、ここでのこれ以上の説明は省略する。
【００２９】
図８は、図６に示す取外し位置に回動した状態のバヨネットリングの、マークの部分を押したときの状態を示す図である。
【００３０】
バヨネットリング３０のマーク３１は、その裏面の突条３２の高さの低い部分３２ｂの前面に付されており、その部分は、カメラボディの溝１０１から浮いた状態にある。したがってそのマーク３１の部分を前面から押すと、バヨネットリング３０の、そのマーク３１の部分の反対側の部分、すなわちそのマーク３１から最遠の部分が図８に示すように持ち上がり、そのバヨネットリング３０を指で摘んでカメラボディから取り外すことができる。
【００３１】
このように、このデジタルカメラ１０によれば、バヨネットリング３０をその前面の操作で容易に着脱が可能である。
【００３２】
尚、例えば図５に示すように、突条３１の高さの低い部分３２ｂは、マーク３１が付された部分だけでなくその他の部分にも形成されている。このため、図６に示す取外し位置に回動しているバヨネットリング３０の、マーク３１以外の部分を押してもその押した部分が突条３２の高さの低い部分３２ｂであったときは、その押した部分に対する反対側が持ち上がることになる。このように、マーク３１の部分以外の部分を押して持ち上がることは何ら差しつかえないが、マークが付されていないとバヨネットリング３０のどこを押したらよいかユーザが戸惑うこととなる。ここでは、複数存在する押せば持ち上がるポイントの１つにマークが付されているため、ユーザにそのマーク３１の部分を押せばよいという安心感を与えることができる。
【００３３】
尚、上記のマーク３１に加え、押せば持ち上がる他のポイントにもマークを付してもよい。ただし、そのときには、取外し位置に有るマーク３１とは明確に区別できるマークを付すか、あるいはそれら複数のマークのうちのいずれかのマークの部分をロック解除ボタン４０の位置に持ってきても着脱できるように、溝１０１、固定爪１０２、係止爪３３等の位置や形状を工夫する必要がある。
【００３４】
図９は、これまで説明してきたデジタルカメラの回路構成を示すブロック図である。
【００３５】
このデジタルカメラ１０には、図１にも示すように、撮影レンズ２０と補助光発光部６０が備えられている。また、このデジタルカメラ１０には、バヨネットリング３０（図１等を参照）を取外し、カメラボディ側のバヨネット機構を利用して接写用のコンバータレンズ等の補助レンズ２１を取り付けることもできる。
【００３６】
また、このデジタルカメラ１０には、シャッタユニット２０１と、撮像素子（ＣＣＤ）２０２と、アナログ信号処理部２０３と、このデジタルカメラ１０の動作を総合的に制御するＣＰＵ２０４と、駆動回路２０５と、Ａ／Ｄ（アナログ／デジタル）部２０６とが備えられている。
【００３７】
撮影レンズ２０、補助光発光部６０、シャッタユニット２０１、および撮像素子２０２は、駆動回路２０５からの信号に応じて動作する。補助レンズ２１０が装着されている場合の補助レンズ２１、撮影レンズ２０、およびシャッタユニット２０１を経由したきた被写体光は、撮像素子２０２に入射される。撮像素子２０２は、入射された被写体光を電気信号であるアナログの画像信号に変換して、アナログ信号処理部２０３に出力する。
【００３８】
アナログ信号処理部２０３は、撮像素子２０２から出力されたアナログ画像信号に対して雑音低減処理等を施し、その処理等が施されたアナログ画像信号をＡ／Ｄ部２０６に出力する。Ａ／Ｄ部２０６は、そのアナログ画像信号にＡ／Ｄ（アナログ／デジタル）変換処理を行なって、デジタルの画像信号を出力する。
【００３９】
また、このデジタルカメラ１０には、デジタル信号処理部２０７と、テンポラリメモリ２０８と、圧縮伸長部２０９と、内蔵メモリ（またはメモリカード）２１０と、画像モニタ２１１とが備えられている。Ａ／Ｄ部２０６でＡ／Ｄ変換処理されてデジタルに変換されたデジタル画像信号は、デジタル信号処理部２０７に入力される。デジタル信号処理部２０７は、入力されたデジタル画像信号に所定のデジタル信号処理を施して今回の撮影シーンの被写体画像を表わす画像データを完成させて、テンポラリメモリ２０８に一時的に格納する。テンポラリメモリ２０８に格納されたデータは、圧縮伸長部２０９で圧縮されて内蔵メモリ（またはメモリカード）２１０に記録される。尚、撮影モードによっては、圧縮の過程を省いて内蔵メモリ２１０に直接記録してもよい。テンポラリメモリ２０９に格納されたデータは画像モニタ２１１に読み出され、これにより画像モニタ２１１に被写体の画像が表示される。
【００４０】
さらに、デジタルカメラ１０には、前述したモード選択ダイヤル８０等からなる操作スイッチ部２１２と、シャッタボタン９０とが備えられている。写真撮影にあたっては、操作スイッチ部２１２を操作して所望の撮影状態に設定しシャッタボタン９０を押下する。すると、上記のように画像データが生成されて内蔵メモリ２１０に記録されるなどの処理が行なわれる。
【図面の簡単な説明】
【００４１】
【図１】本発明の機器およびカメラの一実施形態としてのデジタルカメラを示す外観斜視図である。
【図２】図１に示すデジタルカメラの、バヨネットリングが取り外された状態（Ａ）と、その取り外されたバヨネットリング（Ｂ）を示す図である。
【図３】バヨネットリングが取り外された状態の正面図である。
【図４】バヨネットリングの平面図（Ａ）、側面図（Ｂ）、および背面図（Ｃ）である。
【図５】バヨネットリングの裏面側を示す斜視図である。
【図６】このデジタルカメラの、バヨネットリングが取外し位置に回動された状態を示した正面図である。
【図７】このデジタルカメラの、バヨネットリングが装着完了位置に回動された状態を示す正面図である。
【図８】図６に示す取外し位置に回動した状態のバヨネットリングの、マークの部分を押したときの状態を示す図である。
【図９】これまで説明してきたデジタルカメラの回路構成を示すブロック図である。
【符号の説明】
【００４２】
１０    デジタルカメラ
２０    撮影レンズ
２１    補助レンズ
３０    バヨネットリング
３１    マーク
３２    突条
３２ａ    高さの高い部分
３２ｂ    高さの低い部分
３３    係止爪
３４    ストッパ
４０    ロック解除ボタン
５０    対物窓
６０    補助光発光窓
７０    グリップ部
８０    モード選択ダイヤル
９０    シャッタボタン
１０１    溝
１０２    固定爪
１０２ａ    固定爪の端部
１０３    カメラボディ上のマーク
【図１】
2006091660.tif 000003
【図２】
2006091660.tif 000004
【図３】
2006091660.tif 000005
【図４】
2006091660.tif 000006
【図５】
2006091660.tif 000007
【図６】
2006091660.tif 000008
【図７】
2006091660.tif 000009
【図８】
2006091660.tif 000010
【図９】
2006091660.tif 000011